(57)【要約】【課題】火災現場の状況に応じた適切な発泡器を選択することができるとともに、コンパクトに収容することができる発泡器セットを提供する。【解決手段】本発明の発泡器セットは、第１の発泡器１００の内部に第２の発泡器２００が収容されている。第１の発泡器１００は流路筒１０１と、流路筒１０１の一端側に設けられた噴射ノズル１０５ａ〜ｈと、他端側の開口を塞ぐ発泡用網状体１０７とを備えている。また、第２の発泡器２００は流路筒２０１と、該流路筒１０１の一端側に設けられた噴射ノズル２０５と、他端側の開口を塞ぐ発泡用網状体２０７とを備えている。第１の発泡器１００の発泡用網状体１０７は開閉可能にされており、第２の発泡器２００が出し入れ可能とされている。【選択図】図１
2019024761.tif 000002
【特許請求の範囲】
【請求項１】
両端に開口を有する流路筒と、該流路筒の一端側に設けられた噴射ノズルと、該流路筒の他端側の開口を塞ぐ発泡用網状体とを備えた第１の発泡器と、
該第１の発泡器の流路筒内に収容され、両端に開口を有する流路筒と、該流路筒の一端側に設けられた噴射ノズルと、該流路筒の他端側の開口を塞ぐ発泡用網状体とを備えた少なくとも１台の第２の発泡器と、を備え、
前記第１の発泡器の発泡用網状体は開閉可能にされており、該発泡用網状体が開状態において該第２の発泡器が出し入れ可能とされていることを特徴とする発泡器セット。
【請求項２】
前記第１の発泡器の発泡倍率は、前記第２の発泡器の発泡倍率よりも大きくされている請求項１に記載の発泡器セット。
【請求項３】
前記第１の発泡器の流路筒内に、第２の発泡器を着脱可能な接続治具が設置されている請求項１又は２に記載の発泡器セット。
【請求項４】
前記接続治具は前記第１の発泡器の噴射ノズルの配管に取り付けられている請求項１乃至３のいずれか１項に記載の発泡器セット。
【発明の詳細な説明】
【技術分野】
【０００１】
本発明は、火災現場の状況に応じた適切な発泡器を選択することができるとともに、コンパクトに収容することができる発泡器セットに関し、消防車等に搭載する発泡器として好適に用いることができる。
【背景技術】
【０００２】
油火災をはじめとする危険物火災の消火においては、泡消火機器が用いられる。泡消火機器とは、泡消火薬剤を一定比率で希釈した泡水溶液を噴射して発泡させ、泡を放出するものであるが、さまざまな種類があり、放出する泡の発泡倍率によって区分されている。例えば、中発泡器では発泡倍率がおよそ20〜100倍であり、高発泡器ではおよそ200〜500倍（あるいはそれ以上）とされる。中発泡器は主に流出油火災や車両火災に対して用いられるのに対し、高発泡器は倉庫や地下室での危険物火災に対して窒息消火をおこなう用途で用いられる。消火に際しては、火災の状況に応じて適切な泡消火機器を選択しなければならない。泡の性状は、消火性能を左右し、適切な泡性状でなければ消火に時間を要するだけでなく消火が困難となる。
【０００３】
中発泡器及び高発泡器は、何れも噴射ノズル、発泡用網状体、ホース接続金具及び発泡器本体を備えており、噴射ノズルより泡水溶液が噴射されると、周辺空気を取り込みながら発泡用網状体へ衝突し、発泡して発泡器本体より泡となって放出される構造とされている。中発泡器及び高発泡器の設計においては、噴射される泡の性状(発泡倍率や還元時間)と射程、並びに噴射時の泡の纏まり等の特性が重要となる。これらの特性は、噴射ノズルと発泡用網状体の位置関係、発泡用網状体の形状、発泡器形状、噴射圧力・流量等によって変動するため、中発泡器と高発泡器とを兼ね備えた単独の発泡器とすることは困難であり、それぞれ別個の発泡器を火災現場に運搬する必要がある。
【０００４】
一方、近年、危険物火災が多様化及び複雑化しており、これに伴って消防車への搭載資機材が増加しており、それに伴い発泡器のコンパクト化が要請されている。このため、中発泡器や高発泡器を折り畳み式としたり、伸縮式にしたりしてコンパクト化されたものが開発されている（特許文献１〜４）。
【０００５】
しかしながら、発泡器を折り畳み式としたり、伸縮式にしたりした場合、組立てに時間を要したり、組み立て方によっては噴射ノズルと発泡用網状体の位置関係が変わり、泡性状や射程、泡の纏まりが悪くなるというおそれがあった。また、消防機器は過酷な現場で用いられるということから、堅牢性も要請されるのに対し、堅牢性に劣るという問題もあった。
【先行技術文献】
【特許文献】
【０００６】
【特許文献１】特開２０１０−０００２８７号公報
【特許文献２】特開２００７−１９０１６７号公報
【特許文献３】特開２００９−２３３２３３号公報
【特許文献４】特開２００９−２４０５１７号公報
【発明の概要】
【発明が解決しようとする課題】
【０００７】
本発明は上記従来の実情に鑑みてなされたものであり、火災現場の状況に応じた適切な発泡器を選択することができるとともに、コンパクトに収容することができる発泡器セットを提供することを課題としている。
【課題を解決するための手段】
【０００８】
本発明の発泡器セットは、両端に開口を有する流路筒と、該流路筒の一端側に設けられた噴射ノズルと、該流路筒の他端側の開口を塞ぐ発泡用網状体とを備えた第１の発泡器と、該第１の発泡器の流路筒内に収容され、両端に開口を有する流路筒と、該流路筒の一端側に設けられた噴射ノズルと、該流路筒の他端側の開口を塞ぐ発泡用網状体とを備えた少なくとも１台の第２の発泡器と、を備え、前記第１の発泡器の発泡用網状体は開閉可能にされており、該発泡用網状体が開状態において該第２の発泡器が出し入れ可能とされていることを特徴とする。
【０００９】
本発明の発泡器セットにおける第１の発泡器の流路筒内には第２の発泡器が収容されている。そして、第１の発泡器の発泡用網状体は開閉可能にされており、該発泡用網状体が開状態において該第２の発泡器が出し入れ可能とされている。このため、第１の発泡器の流路筒内に第２の発泡器を収容した状態で火災現場まで運搬することができ、消防車等に積載して運搬する場合に収容のためのスペースを小さくすることができる。そして、さらに、火災現場に到着してから発泡用網状体を開状態とし、第１の発泡器の流路筒内に収容されている第２の発泡器を取り出し、第１の発泡器の噴射ノズルにホースを接続して泡水溶液を送水すれば、噴射ノズルの先端から泡水溶液が噴射され、周辺空気を取り込みながら発泡用網状体へ衝突し、発泡用網状体の網目部分に付着して液膜を形成する。さらにこの液膜に空気が当たって発泡し、流路筒から泡となって放出させることができる。なお、本明細書において発泡用網状体とは、噴射ノズルから泡水溶液が噴射された場合に付着して液膜を形成され、さらにこの液膜に空気が当たって発泡しうるものをいい、例えば金網や、変形自在の樹脂製ネットや、金属板に多数の孔を開けたパンチングメタル等が挙げられる。
【００１０】
一方、取り出された第２の発泡器にも流路筒と、該流路筒の一端側に設けられた噴射ノズルと、該流路筒の他端側の開口を塞ぐ発泡用網状体とが備えられているため、同様に泡を放出させることができる。
ここで、第１の発泡器と第２の発泡器の仕様を異なる仕様（例えば異なる発泡倍率や噴射流量等）とすることにより、火災現場に応じた適切な発泡器を選択することができる。
【００１１】
したがって、本発明の発泡器セットによれば、火災現場までコンパクトに収容した状態で仕様の異なる複数の発泡器を運搬することができるとともに、火災現場において、状況に応じた適切な発泡器を迅速に選択するができる。
【００１２】
本発明の発泡器セットでは、第１の発泡器の発泡倍率が第２の発泡器の発泡倍率よりも大きくされていることが好ましい。一般に、発泡器の発泡倍率が大きいほど大きな流路筒を有する発泡器となるため、大きな流路筒内に発泡倍率の小さい発泡器をコンパクトに収容することができる。
しかし、発泡器のサイズをコンパクトにするほど、空気量が減少して発泡倍率が低下するだけでなく、また、噴霧ノズルの噴霧角度が小さく、かつ、発泡用網状体の面積が小さいほど、起泡することなく流れてしまう泡水溶液の歩留まりも多くなる傾向がある。
そこで、消火に好適な泡を放射するためには、噴霧ノズルの噴霧角度や発泡用網状体の形状、及び噴霧ノズルと発泡用網状体との位置を変化させ、そのたびに泡の性状を確認しながら、消火に好適な泡性状が得られる位置を求める必要がある。
なお、第１の発泡器及び第２の発泡器を使用するためには、泡性状や射程、泡の纏まりといったパラメータを適切な値にしつつ、第２の発泡器を第１の発泡器の流路筒内に収容しなければならない。発明者らは、消火に好適な泡性状を出すため、発泡用網状体の形状や噴霧ノズルの噴霧角度、発泡器の形状等を鋭意研究した結果、第１の発泡器の寸法を高さ３００〜６００ｍｍ、幅６００〜１０００ｍｍ、奥行８００〜１５００ｍｍの直方体形状とし、第２の発泡器の寸法を直径２００〜５００ｍｍ、奥行６００〜１０００ｍｍの筒型形状とすれば、第１の発泡器を高発泡性の発泡器として適切なパラメータ値とし、第２の発泡器を中発泡性の発泡器として適切なパラメータ値とすることができ、しかもコンパクトな形状とすることができることを見出した。
【００１３】
また、本発明の発泡器セットでは、第１の発泡器の流路筒内に、第２の発泡器を着脱可能な接続治具が固定されていることが好ましい。こうであれば、第２の発泡器を第１の発泡器の流路筒内にしっかり固定することができるとともに、第２の発泡器の取り出しも容易となる。
この場合において、接続治具が第１の発泡器の噴射ノズルの配管に取り付けられていれば、さらなる省スペースが可能となり好適である。
【図面の簡単な説明】
【００１４】
【図１】実施例１の発泡器セットの正面側から見た断面図である。
【図２】実施例１の発泡器セットの側面図である。
【図３】実施例１の発泡器セットの一部破断正面図である。
【図４】実施例１の発泡器セットにおける第２の発泡器を取り出した状態での側面図である。
【図５】第２の発泡器の正面図である。
【図６】第２の発泡器の側面図である。
【図７】第２の発泡器の先端側及び後端側の内部構造を示した一部破断正面図である。
【図８】実施例１の第２変形例を示す発泡器セットの部分断面図である。
【発明を実施するための形態】
【００１５】
以下、本発明を具体化した実施例を説明する。
（実施例１）
実施例１の発泡器セットは、消防車等の車両に搭載するための発泡器セットであり、図１及び図２に示すように、略直方体形状の高発泡倍率の発泡器１００の内部に、略円筒形状の中発泡倍率の発泡器２００，３００が２台収容されている。高発泡倍率の発泡器１００は高さ400mm、幅800mm、奥行き1300mmの直方体形状とされており、規定した圧力範囲内で高倍率の泡が噴射されるように設計されている。なお、高さを300〜600ｍｍ、幅を700〜900ｍｍ、奥行きを1100〜1600ｍｍの範囲で変更することもできる。一方、中発泡倍率の発泡器２００及び発泡器３００は同じ構造であって、直径350mm、奥行き900mmの円筒形状とされており、規定した圧力範囲内で中倍率の泡が噴射されるように設計されている。なお、直径を250〜500ｍｍ、奥行きを600〜1200ｍｍの範囲で変更することもできる。
【００１６】
・発泡器１００の構成について
発泡器１００は図３及び図４に示すように、無底の四角筒型形状の流路筒１０１の一端側にステンレス配管材からなるノズル取付治具１０２（図４参照）が中央の位置で上下に延在して流路筒１０１の内側面に接続されており、ノズル取付治具１０２の中央にはホース接続金具１０３がネジ接続によって取り付けられている。図示しない泡水溶液を挿入するためのホースの一端をホース接続金具１０３に挿入することにより、ホースがホース接続金具１０３に接続されるようになっている。ホース接続金具１０３のホース接続側と反対側には、図４に示すように、分岐管１０４が左右に分岐して延在しており、分岐管１０４の途中及び先端更に上下２か所に分岐しており、それぞれの先端には泡水溶液を噴霧するための噴射ノズル１０５ａ，ｂ，ｃ，ｄ，ｅ，ｆ，ｇ，ｈが均等間隔で８カ所に設けられている。また、ホース接続金具１０３には圧力計１０６が立設して取り付けられている
【００１７】
また、図３に示すように、流路筒１０１の他端側には、ステンレス金網からなり、屏風状に屈曲した発泡用網状体１０７が流路を閉鎖するように設置されている。なお、ステンレスの金網に替えてパンチングメタルの板を用いることもできる。発泡用網状体１０７は、流路筒１０１の先端に嵌められた四角枠１０８に取り付けられており、四角枠１０８は、ロック機構１０９によって着脱可能に取り付けられている。ロック機構１０９は四角枠１０８を蝶番で接続し、ばねロックによって流路筒１０１に固定する構造とされている。また、四角枠１０８の側面には取手１１０が取り付けられている。なお、繰り返し発泡用網状体１０７を脱着できる構造であれば、ロック機構１０９に替えて、他のロック機構を用いてもよい。
【００１８】
さらに、流路筒１０１の下面側には移動用の車輪１１１が４か所にとりつけられており、流路筒１０１の上面側には吊下用の金具１１２が４か所に取り付けられている。
【００１９】
・発泡器２００の構成について
一方、発泡器１００の内部に収容された中発泡倍率の発泡器２００は、図６に示すように、円柱筒型形状の流路筒２０１の一端側の周縁の３か所から軸心方向に向かって３本のノズル取付治具２０２ａ、ｂ，ｃが延在して溶接されており、ノズル取付治具２０２ａ、ｂ，ｃの他端にはホース接続金具２０３がネジ接続によって取り付けられている。図示しない泡水溶液を挿入するためのホースの一端をホース接続金具２０３に挿入することにより、ホースをホース接続金具２０３に接続可能とされている。また、図７に示すように、ホース接続金具２０３のホース接続側と反対側の先端には、泡水溶液を噴霧するための噴射ノズル２０５が設けられている。さらに、ホース接続金具２０３には圧力計２０６が取り付けられている。また、流路筒２０１の圧力計２０６に対面する位置には、圧力計２０６を視認するための窓２０６ａが設けられている。
一方、流路筒２０１の他端側には、ステンレス金網からなる円錐形状の発泡用網状体２０７が流路を閉鎖するように設置されている。また、流路筒２０１の側面２か所には消防士が発泡器２００を手に持って取り扱うための取手２１０ａ，ｂが取り付けられている。取手２１０ａ，ｂは発泡器２００を横向きにして載置した時に、転がることなく安定に置くことができるように水平部分を有している。
【００２０】
中発泡倍率の発泡器２００及び発泡器３００の噴霧ノズル２０５と、発泡用網状体２０７との距離は５００ｍｍ（ただし４００〜６００mmの任意の値とすることもできる）であり、噴霧ノズル２０５の噴霧角度は、放射圧力０．５MPaにおいて、３０°（ただし２０〜４０°の任意の値とすることもできる）でフルコーン状に放射されるように調整されている。また、発泡用網状体２０７は円錐状の金網であり、円錐の頂角は６０°（ただし４５〜７５°の任意の値とすることもできる）とされている。これらの条件範囲の組み合わせにより、消火に好適な中発泡倍率の泡を放射することができる。
【００２１】
以上のように構成された実施例１の発泡器セットでは、図１に示すように、高発泡倍率の発泡器１００の内部に中発泡倍率の発泡器２００を収容した状態で消防車に搭載される。このため、高発泡倍率の発泡器と中発泡倍率の発泡器をそれぞれ単独で積載する場合に比べて、積載のためのスペースを小さくすることができる。火災現場に到着したら、消防士は発泡器１００のロック機構１０９を引き起こして解放状態とし、取手１１０（図３参照）を掴んで四角枠１０８を発泡用網状体１０７とともに取り外す。そして、内部に収容されていた中発泡倍率の発泡器２００を取り出す。さらに、発泡器１００を降ろす。この際、発泡器１００には車輪１１１が取り付けてあるため、消防士は容易に発泡器１００を移動させることができる。-
【００２２】
こうして、発泡器１００及び発泡器２００を降ろしたら、火災現場における火災状況に応じて高発泡倍率の発泡器１００を用いるか、中発泡倍率の発泡器２００を用いて消火活動をするか、あるいは両方を用いて消火活動を行うかを迅速に判断する。高発泡倍率の発泡器１００は、倉庫や地下室空間での危険物火災に対して窒息消火をおこなう場合に好適に用いることができる。また、中発泡倍率の発泡器２００は、流出油火災や車両火災に対して好適に用いることができる。
【００２３】
高発泡倍率の発泡器１００を用いる場合には、図３に示すように、発泡用網状体１０７が取り付けられた四角枠１０８を再び流路筒１０１の先端に嵌合させた後、ロック機構１０９によって四角枠１０８を固定し、発泡用網状体１０７が取り付けられた状態とする。そして、図示しないホースをホース接続金具１０３に挿入して接続し、消防車から泡水溶液を送液する。こうしてホースから供給された泡水溶液は、分岐管１０４を通り噴射ノズル１０５ａ，ｂ，ｃ，ｄ，ｅ，ｆ，ｇ，ｈから霧状態となって噴霧され、発泡用網状体１０７に付着し、さらに泡状態となって発泡用網状体１０７から高発泡倍率の泡が放出される。
【００２４】
一方、中発泡倍率の発泡器２００を用いる場合には、図７に示すホース接続金具２０３にホースを接続し、消防車から泡水溶液を送液する。こうしてホースから供給された泡水溶液は、噴射ノズル２０５から霧状態となって噴霧され、発泡用網状体２０７に付着し、さらに泡状態となって発泡用網状体２０７から中発泡倍率の泡が放出される。発泡器２００は小型で軽量であり、取手２１０ａ，ｂを持って、泡を火元に向けて放出させることができる。また、放出される泡は中発泡倍率であるため、射程距離が長いことから、流出油火災や車両火災に対して遠くから安全に消火活動を行うことができる。さらには、圧力計２０６によって圧力を確認することにより、送液圧力が適切な圧力とされているか否かを判断し、図示しない送液ポンプの出力を制御することができる。
【００２５】
なお、上記実施例１において、中発泡倍率の発泡器２００及び発泡器３００は同じ構造とされていたが、これを異なる２台の発泡器とし、発泡倍率等の特性を異なるものにすることもできる。こうであれば、火災現場において、状況に応じた、より適切な発泡器を選択することができる。また、高発泡倍率の発泡器１００の内部に発泡器以外の消火機器（消火用ホースや消火用ノズル等）を収容しておいてもよい。
【００２６】
・実施例１の第１変形例
上記実施例１の発泡器セットでは、第１発泡器１００の発泡用網状体１０７や、第２発泡器２００の発泡用網状体２０７の素材をステンレス製の金網としたが、これの替りに樹脂製の網を用いてもよい。こうであれば、取り外した発泡用網状体を折りたたむこともでき、さらなる省スペースが可能となるとともに、取り扱いがさらに容易となる。
【００２７】
・実施例１の第２変形例
実施例１の発泡器セットでは、発泡器１００の流路筒１０１内に発泡器２００を取手２１０ａ，ｂを下向きにして載置しただけであった。これの替りに、図８に示すように、発泡器２００のホース接続金具２０３に整合する位置にホース先端金具２１１を分岐管１０４に取り付けてもよい。こうであれば、ホース接続金具２０３をホース先端金具２１１に挿入することによって発泡器２００がしっかりと固定されるとともに、ホース先端金具２１１からの脱着も容易である。
【００２８】
この発明は上記発明の実施の態様及び実施例の説明に何ら限定されるものではない。特許請求の範囲を逸脱せず、当業者が容易に想到できる範囲で種々の変形態様もこの発明に含まれる。
【符号の説明】
【００２９】
１００…第１の発泡器
２００…第２の発泡器
１０１，２０１…流路筒
１０５ａ，ｂ，ｃ，ｄ，ｅ，ｆ，ｇ，ｈ，２０５…噴射ノズル
１０７，２０７…発泡用網状体
２１１…ホース先端金具（接続治具）
【図１】
2019024761.tif 000003
【図２】
2019024761.tif 000004
【図３】
2019024761.tif 000005
【図４】
2019024761.tif 000006
【図５】
2019024761.tif 000007
【図６】
2019024761.tif 000008
【図７】
2019024761.tif 000009
【図８】
2019024761.tif 000010